(57)【要約】【課題】  スルーホールの精度を低下させても対応可能であり、スルーホールの内面を損傷せずに嵌入でき、さらに、はんだ付け後の取付け強固が高い保持部材、実装構造、および保持部材を備えた電子部品を提供する。【解決手段】  電気回路基板５０に設けられたスルーホール５１に嵌入されて電気回路基板５０に電子部品８０を保持する保持部材１であって、電子部品８０に固定される板状の基部１０と、基部１０から互いに略同じ方向に延び、スルーホール５１の内面５１ａに干渉しながらスルーホール５１に嵌入される、互いに対向した向きの一対の板状の第１脚部２０と、基部１０から、一対の第１脚部２０どうしの間に、第１脚部２０と同一方向に延びる、第１脚部２０に縁面３３を向けた板状の第２脚部３０とを備えたこと特徴とする。【選択図】        図１
2007128772.tif 000002
【特許請求の範囲】
【請求項１】
電気回路基板に設けられたスルーホールに嵌入されて該電気回路基板に電子部品を保持する保持部材であって、
前記電子部品に固定される板状の基部と、
前記基部から互いに略同じ方向に延び、前記スルーホールの内面に干渉しながら該スルーホールに嵌入される、互いに対向した向きの一対の板状の第１脚部と、
前記基部から、前記一対の第１脚部どうしの間に、該第１脚部と同一方向に延びる、該第１脚部に縁面を向けた板状の第２脚部とを備えたこと特徴とする保持部材。
【請求項２】
前記一対の第１脚部のそれぞれは、前記第２脚部の縁面との間に、溶融はんだが毛細管現象により流入する隙間をおいた位置に配置されたものであることを特徴とする請求項１記載の保持部材。
【請求項３】
この保持部材は、表面が溶融はんだによって濡れる金属製であることを特徴とする請求項１記載の保持部材。
【請求項４】
スルーホールが設けられた電気回路基板と、
前記スルーホールに挿入された脚部を有し、前記電気回路基板に電子部品を保持させる保持部材と、
前記脚部が挿入された状態の前記スルーホールを埋めて前記電気回路基板に前記保持部材を固定するはんだとを備えた実装構造であって、
前記保持部材は、
前記電子部品に固定される板状の基部と、
前記基部から互いに略同じ方向に延び、前記スルーホールの内面に干渉しながら該スルーホールに嵌入された、互いに対向した向きの一対の板状の第１脚部と、
前記基部から前記一対の第１脚部の間に、該第１脚部と同一方向に延びる、該第１脚部に縁面を向けた板状の第２脚部とを備えたものであること特徴とする実装構造。
【請求項５】
スルーホールが設けられた電気回路基板に保持される電子部品であって、
前記スルーホールに挿入される脚部を有し、前記電気回路基板に前記電子部品を保持させる保持部材を備え、
前記保持部材は、
前記電子部品に固定される板状の基部と、
前記基部から互いに略同じ方向に延び、前記スルーホールの内面に干渉しながら該スルーホールに嵌入される互いに対向した向きの一対の板状の第１脚部と、
前記基部から前記一対の第１脚部の間に、該第１脚部と同一方向に延びる、該第１脚部に縁面を向けた板状の第２脚部とを備えたものであること特徴とする電子部品。
【発明の詳細な説明】
【技術分野】
【０００１】
本発明は、電気回路基板に設けられたスルーホールに嵌入されて電気回路基板に電子部品を保持する保持部材、電気回路基板と保持部材を備えた実装構造、および保持部材を備えた電子部品に関する。
【背景技術】
【０００２】
従来より、コネクタのような大型の電子部品を電気回路基板に実装する技術として、電子部品に取り付けた保持部材を電気回路基板に形成されたスルーホールに嵌入させる技術が知られている。また、コネクタを電気回路基板に強固に固定するため、固定金具は、電気回路基板にはんだ付けされる場合がある。ここで、電子部品を保持する保持部材の例として、コネクタを保持するボードロックおよび固定金具が特許文献１〜４に示されている。
【０００３】
図９は、従来の固定金具を示す断面図である。
【０００４】
固定金具１０５は、金属板を打ち抜いて形成された平面的なものである。固定金具１０５は、頭部１５１から二股状に延びる固定脚部１５２の両外側に、圧入凸部１５４および引掛り部１５３が設けられた形状を有している。固定金具１０５がコネクタ１０２の取付穴および電気回路基板１０１のスルーホールに圧入されると、引掛り部１５３が、電気回路基板１０１のスルーホールを貫通して、電気回路基板１０１に引っ掛かる。固定金具１０５によって、コネクタ１０２は、電気回路基板１０１から脱落しないよう保持される。
【特許文献１】特開平１０−１６２８８６号公報
【特許文献２】実開平６−６２４８６号公報
【特許文献３】特開平９−２７４９７５号公報
【特許文献４】特開平１０−４０９７９号公報
【発明の開示】
【発明が解決しようとする課題】
【０００５】
圧入時には、固定脚部１５２が方向Ｗに弾性変形することで、引掛り部１５３が電気回路基板１０１のスルーホールを通り抜ける。しかしながら、固定金具１０５は平面的であり、固定脚部１５２は、面内で弾性変形するため、弾性変形量が小さい。このため、電気回路基板のスルーホールを精度よく形成する必要がある。また、電気回路基板１０１のスルーホールの内面には、通常、銅めっきが施されている。このスルーホールの内面に、固定脚部１５２のエッジが接することにより、銅めっきが損傷し易い。また、電気回路基板への固定金具のはんだ付けは、通常、はんだフロー工程により行われる。はんだ付けによる固定金具の固定は、コネクタの端子に過大な力が加わらないように、強固であることが求められている。
【０００６】
本発明は、上記事情に鑑み、スルーホールの精度を低下させても対応可能であり、スルーホールの内面を損傷せずに脚部が嵌入でき、さらに、はんだ付け後の電気回路基板への電子部品の取付け強固が高い保持部材、実装構造、および保持部材を備えた電子部品を提供することを目的とする。
【課題を解決するための手段】
【０００７】
上記目的を達成する本発明の保持部材は、電気回路基板に設けられたスルーホールに嵌入されてこの電気回路基板に電子部品を保持する保持部材であって、
上記電子部品に固定される板状の基部と、
上記基部から互いに略同じ方向に延び、上記スルーホールの内面に干渉しながらこのスルーホールに嵌入される、互いに対向した向きの一対の板状の第１脚部と、
上記基部から、上記一対の第１脚部どうしの間に、この第１脚部と同一方向に延びる、この第１脚部に縁面を向けた板状の第２脚部とを備えたこと特徴とする。
【０００８】
本発明の保持部材では、スルーホールに嵌入される一対の第１脚部が、互いに対向する向きにあるため、第１脚部は、スルーホールに嵌入される際、幅方向でなく厚さ方向に弾性変形する。したがって、スルーホールの径の精度を従来より低下させても対応可能なので生産性が向上する。また、スルーホールの内面には、通常、銅めっき層が形成されている。本発明の保持部材では、一対の第１脚部が、スルーホールの径方向に変位するように、スルーホールの内面に面接触することとなるため、スルーホールの損傷を低減できる。
【０００９】
また、本発明の保持部材では、一対の第１脚部どうしの間に、第２脚部が配置されている。このため、はんだフロー工程で、溶融はんだが、第２脚部を伝ってスルーホール内に吸い上げられ易くなる。また、仮に、第２脚部が配置されていないと、一対の第１脚部の間には、はんだのみが充填されることとなる。はんだは比較的柔らかい金属であるため、大きな力が加わると容易に変形してしまう。本発明の保持部材は、充填されるはんだ層が薄く、第２脚部が外力を受け止めるように構成されている。このため、引抜力に対して変形し難い。したがって、本発明の保持部材によれば、はんだ付け後において、電気回路基板への電子部品の取付け強固が高まる。
【００１０】
ここで、上記本発明の保持部材において、上記一対の第１脚部のそれぞれは、上記第２脚部の縁面との間に溶融はんだが毛細管現象により流入する隙間をおいた位置に配置されたものであることが好ましい。
【００１１】
はんだフロー工程で、溶融はんだが、第２脚部の縁面と第１脚部との間の隙間を伝ってスルーホール内に吸い上げられ易くなる。このため、電気回路基板への電子部品の取付け強固が高まる。
【００１２】
また、上記本発明の保持部材は、表面が溶融はんだによって濡れる金属製であることが好ましい。
【００１３】
第１脚部および第２脚部を含めた保持部材が、表面が溶融はんだによって濡れる金属製であることにより、はんだフロー工程で、溶融はんだが、スルーホール内に吸い上げられ易くなる。
【００１４】
また、上記目的を達成する本発明の実装構造は、スルーホールが設けられた電気回路基板と、
上記スルーホールに挿入された脚部を有し、上記電気回路基板に電子部品を保持させる保持部材と、
上記脚部が挿入された状態の上記スルーホールを埋めて上記電気回路基板に上記保持部材を固定するはんだとを備えた実装構造であって、
上記保持部材は、
上記電子部品に固定される板状の基部と、
上記基部から互いに略同じ方向に延び、上記スルーホールの内面に干渉しながらこのスルーホールに嵌入された、互いに対向した向きの一対の板状の第１脚部と、
上記基部から上記一対の第１脚部の間に、この第１脚部と同一方向に延びる、この第１脚部に縁面を向けた板状の第２脚部とを備えたものであること特徴とする。
【００１５】
本発明の実装構造によれば、保持部材において上記スルーホールの内面に干渉しながら嵌入される一対の板状の第１脚部が、互いに対向する向きにある。したがって、第１脚部が弾性変形する範囲が大きいため、保持部材によりスルーホールの内面を損傷することなく脚部が挿入された実装構造が実現する。しかも、電気回路基板、保持部材の第１脚部、および第２脚部が、スルーホール内を含む広い範囲で相互にはんだ付けされて、強固に固定された実装構造が実現する。
【００１６】
本発明の実装構造によれば、一対の第１脚部どうしの間に、第２脚部が配置されている。このため、溶融はんだが、第２脚部を伝ってスルーホール内に吸い上げられ易く、また、はんだ付け後には、第２脚部が外力を受け止める。したがって、電気回路基板への電子部品の取付け強固が高まる。
【００１７】
また、上記目的を達成する本発明の電子部品は、スルーホールが設けられた電気回路基板に保持される電子部品であって、
上記スルーホールに挿入される脚部を有し、上記電気回路基板に上記電子部品を保持させる保持部材を備え、
上記保持部材は、
上記電子部品に固定される板状の基部と、
上記基部から互いに略同じ方向に延び、上記スルーホールの内面に干渉しながらこのスルーホールに嵌入される互いに対向した向きの一対の板状の第１脚部と、
上記基部から上記一対の第１脚部の間に、この第１脚部と同一方向に延びる、この第１脚部に縁面を向けた板状の第２脚部とを備えたものであること特徴とする。
【００１８】
本発明の電子部品によれば、保持部材において上記スルーホールの内面に干渉しながら嵌入される一対の板状の第１脚部が、互いに対向する向きにある。このため、スルーホールの径の精度を従来より低下させても対応可能なので生産性が向上する。また、スルーホールの損傷を低減できる。また、本発明の保持部材では、一対の第１脚部どうしの間に、第２脚部が配置されている。このため、溶融はんだが、第２脚部を伝ってスルーホール内に吸い上げられ易く、また、はんだ付け後には第２脚部が外力を受け止める。したがって、電気回路基板への電子部品の取付け強固が高まる。
【発明の効果】
【００１９】
以上説明したように、本発明によれば、スルーホールの精度を低下させても対応可能であり、また、スルーホールの内面を損傷せず、さらに、はんだ付け後の電気回路基板への電子部品の取付け強固が高い保持部材、実装構造、および保持部材を備えた電子部品が実現する。
【発明を実施するための最良の形態】
【００２０】
以下図面を参照して本発明の保持部材の実施の形態を説明する。
【００２１】
図１および図２は、本発明の一実施形態の保持部材の外観を示す図である。
【００２２】
図１は保持部材を斜め前方から見た斜視図である。また、図２において、（ａ）は正面図、（ｂ）は平面図、（ｃ）は右側面図、（ｄ）は背面図である。
【００２３】
保持部材１は、電気回路基板に設けられたスルーホール（図３参照）に嵌入されて電気回路基板にコネクタを保持するものである。保持部材１は、真ちゅう製の板が、打抜き、印圧及び曲げ加工されることにより形成されている。また、保持部材１には、表面が溶融はんだによって濡れるように、錫めっき処理が施されている。保持部材１は、基部１０と、一対の第１脚部２０（２０ａ，２０ｂ）と、第２脚部３０とから構成されている。
【００２４】
基部１０は、矩形状の一辺の中央が突出した板状に形成されている。基部１０の側縁１１には、突起１２が設けられている。基部１０は、コネクタの絶縁ハウジングの側面に設けられた溝に圧入される。突起１２は抜止めのためのものである。また、基部１０には、曲げ強度を高めるためのリブ１３が、印圧加工により形成されている。基部１０のうちの、矩形状の一辺から突出した突出部１６からは、一対の板状の第１脚部２０が、略同じ方向に延びている。また、基部１０の突出部１６からは、板状の第２脚部３０が、第１脚部２０と同一方向に延びている。また、基部１０の突出部１６からは、２つの突起１８が、第２脚部３０を挟んで第２脚部３０と同一方向に延びている。
【００２５】
第１脚部２０は、電気回路基板に設けられるスルーホールに、スルーホールの内面に干渉しながら嵌入されるものである。一対の第１脚部２０のうち、一方の第１脚部２０ａは、突出部１６の一端側から細長く延びる板が曲げ形成されたものである。第１脚部２０ａは、突出部１６から延びる過渡部２１ａと、過渡部２１ａから連続して延びる嵌入部２２ａとから構成されている。嵌入部２２ａは、スルーホールに嵌入される部分である。過渡部２１ａは、さらに、突出部１６から略９０°に折り曲げられて延び、電気回路基板の実装面５０ａ（図３参照）、および突出部１６の双方に略垂直な垂直部２３ａと、垂直部２３ａから略９０°に折り曲げられて連続して延び、突出部１６に略垂直でかつ実装面５０ａに略平行な平行部２４ａとから構成されている。嵌入部２２ａは、平行部２４ａから略９０°に折り曲げられて連続して延び、突出部１６および実装面５０ａ（図３参照）の双方に略垂直である。
【００２６】
一対の第１脚部２０のうち、他方の第１脚部２０ｂは、突出部１６の他端側から延び、第１脚部２０ａと対称の形状を有している。すなわち、第１脚部２０ｂも第１脚部２０ａと同様に、過渡部２１ｂと嵌入部２２ｂとから構成されている。過渡部２１ｂは、さらに、垂直部２３ｂと平行部２４ｂとで構成されている。
【００２７】
一対の第１脚部２０（２０ａ，２０ｂ）は、それぞれ過渡部２１ａ，２１ｂを経ることにより、嵌入部２２ａ，２２ｂで互いに略同じ方向に延びている。また、第１脚部２０は、嵌入部２２ａ，２２ｂとが対向するように配置されている。これにより、第１脚部２０は、スルーホールに嵌入されるとき、スルーホールの内面に面接触する。
【００２８】
第１脚部２０の嵌入部２２ａ，２２ｂは、略同一方向に延びるが、平行ではない。具体的には、嵌入部２２ａ，２２ｂは、それぞれの中間位置２６ａ，２６ｂで互いの間隔が最大となり、先端位置２７ａ，２７ｂで距離が狭まるような、ゆるやかな曲面状となっている。つまり、第１脚部２０の嵌入部２２ａ，２２ｂは、これらの双方を一体として見た場合に、幅が、中間位置２６ａ，２６ｂで最も広く、先端位置２７ａ，２７ｂでは細い形状となっている。
【００２９】
第１脚部２０は、基部１０に支えられたばねであり、弾性変位した状態でスルーホールに嵌入される。これにより、保持部材１は、はんだ付け前に電気回路基板が裏返されても、コネクタが自重で脱落しないよう、コネクタを保持する。ここで、第１脚部２０がスルーホールから抜け難くするためには、ばねを強くすることが必要である。この保持部材１によれば、第１脚部２０がスルーホール内面に面接触し、スルーホール内面を損傷することがないので、ばねを十分に強くすることができる。
【００３０】
第１脚部２０ａには、嵌入部２２ａの幅方向中央に、第１脚部２０ａが延びる方向に長い凸部２８ａが、印圧加工により形成されている。他方の第１脚部２０ｂにも同様に凸部２８ｂが形成されている。凸部２８ａ，２８ｂは、互いに対向するように配置された第１脚部２０において、外側に向かう凸形状である。凸部２８ａ，２８ｂが形成されていることにより、第１脚部２０の形状は、嵌入されるスルーホールの内面に沿ったものとなっている。このため、スルーホール内面の損傷がさらに抑えられる。
【００３１】
第２脚部３０は、一対の第１脚部２０どうしの間に、基部１０の突出部１６から、第１脚部２０と同一方向に延びている。より詳細には、第２脚部３０は、突出部１６から略９０°に折り曲げられて延びる過渡部３１と、過渡部３１から略９０°に折り曲げられて連続して延びる嵌入部３２とで構成される。嵌入部３２は、電気回路基板のスルーホールに挿入される。第２脚部３０は、第１脚部２０の間に配置されているため、第１脚部２０とともに電気回路基板のスルーホールに挿入されても、スルーホールの内面に直接的に干渉しない。第２脚部３０は、第１脚部２０と直交するように配置されている。つまり、第２脚部３０は、縁面３３を第１脚部２０に向けるにように配置されている。また、第１脚部２０のそれぞれは、第２脚部３０の縁面３３との間に略一定の幅の隙間をおいた位置に配置されている。すなわち、第１脚部２０の嵌入部２２ａ，２２ｂは、中間位置２６ａ，２６ｂで最も広がり、先端位置２７ａ，２７ｂでは細い形状にされている。これに対応して、第２脚部３０は、中間位置２６ａ，２６ｂ付近では幅が広く、先端位置２７ａ，２７ｂ付近では細い形状にされている。第２脚部３０の縁面３３と、第１脚部２０との隙間は、溶融はんだが毛細管現象により流入する幅を有している。より具体的には、幅の平均は、約０．４ｍｍである。
【００３２】
２つの突起１８は、スルーホールを通って基板上面に至ったはんだを毛細管現象によってさらに引上げ、電気回路基板上面にフィレットを形成させるためのものである。突起１８と、第１脚部２０の平行部２４ａ，２４ｂとは、溶融はんだが流入する隙間を挟むように、近接して配置されている。
【００３３】
図３は、図１に示す保持部材が、電気回路基板のスルーホールに挿入された状態を示す図である。図３において、（ａ）は平面図、（ｂ）は正面図、（ｃ）は底面図である。
【００３４】
電気回路基板５０には、スルーホール５１が形成されており、スルーホール５１の内面およびスルーホール近傍の電気回路基板上には、図示しない銅めっき層が形成されている。電気回路基板５０の厚さとしては、１．２ｍｍ以上１．６ｍｍ以下が好ましい。
【００３５】
保持部材１が、正面図（ｂ）に示すように、電気回路基板５０の実装面５０ａ側から矢印の方向に押し込まれることにより、保持部材１は、スルーホール５１に挿入される。詳細には、一対の第１脚部２０および第２脚部３０がスルーホール５１に挿入される。ここで、第１脚部２０の嵌入部２２ａ，２２ｂは、外側の幅がスルーホール５１の内径に比べて大きく形成されている。このため、第１脚部２０は、弾性変形すると同時に、変形の復元力によって、スルーホール５１の内面５１ａに干渉しながら嵌入されている。また、第１脚部２０の嵌入部２２ａ，２２ｂのうち、互いの間隔が最も広い中間位置２６ａ，２６ｂの部分が、スルーホール５１を貫通している。
【００３６】
本実施形態の保持部材１では、スルーホール５１の内面５１ａに干渉する一対の第１脚部２０が、互いに対向する向きに配置されている。このため、第１脚部２０がスルーホール５１嵌入される過程、または、嵌入している状態において、第１脚部２０が、幅方向でなく厚さ方向に弾性変形する。したがって、保持部材１によれば、スルーホールの径の精度を従来より低下させても対応可能となるため、生産性が向上する。例えば、スルーホールの形状としては円に限らず、長円等種々の平面形状を有するスルーホールに対応することもできる。また、第１脚部２０は、スルーホール５１の内面５１ａに面接触するため、銅めっき層が形成されているスルーホール５１の内面５１ａの損傷を低減できる。ここで、第１脚部２０がスルーホールから抜け難くするためには、ばねを強くすることが必要である。この保持部材１によれば、スルーホール内面を損傷することがないので、ばねを十分に強くすることができる。
【００３７】
スルーホール５１に挿入された保持部材１は、はんだフロー工程において、コネクタの端子と共に電気回路基板５０にはんだ付けされる。
【００３８】
［実装構造］
続いて、保持部材１が電気回路基板５０にはんだにより固定された実装構造を、はんだフロー工程によりはんだ付けが行われる過程とともに説明する。
【００３９】
図４および図５は、上述の保持部材１が、はんだによって電気回路基板５０に固定された実装構造を示す図である。図４は実装構造の側面図であり、図５は図３の（ａ）に示すＡ−Ａ線における断面図である。
【００４０】
また、図４および図５は、保持部材１が電気回路基板５０にはんだによって固定された実装構造を示すと同時に、はんだフロー工程で、溶融はんだが電気回路基板５０と保持部材１とに付着する様子も示している。ここで、はんだフロー工程での溶融状態にあるはんだ、および溶融はんだが固化したはんだの双方に同一の符号６１を付して説明する。
【００４１】
はんだフロー工程では、保持部材１がスルーホール５１に嵌入された状態で、電気回路基板５０のはんだ面５０ｂが、溶融はんだに浸される。すると、スルーホール５１の内面５１ａおよび近傍に形成されている銅めっき層（図示しない）と、保持部材１が、溶融はんだで濡れる。溶融はんだ６１は、第１脚部２０の表面、およびスルーホール５１の内面５１ａを伝ってスルーホール５１内に吸い上げられる。第１脚部２０の間には、第２脚部３０が配置されているため、溶融はんだ６１は、第２脚部３０の表面も伝って吸い上げられる。しかも、第２脚部３０の縁面３３と、第１脚部２０との隙間は、溶融はんだ６１が毛細管現象により流入する幅を有している。このため、溶融はんだ６１は、毛細管現象により、第２脚部の縁面と第１脚部との隙間を伝って吸い上げられる。やがて、スルーホール５１内に吸い上げられた溶融はんだは、第１脚部２０の平行部２４ａの表面を伝って上昇する。溶融はんだは、突起１８の先端に接触すると、突起１８と第１脚部２０との隙間を伝ってさらに上昇する。
【００４２】
この結果、図５に示すように、溶融はんだ６１は、スルーホール５１を完全に埋め、さらに、スルーホール５１から電気回路基板５０の実装面５０ａ上に吸い上げられる。そして、電気回路基板５０の実装面５０ａ上には、第１脚部２０の平行部２４ａおよび垂直部２３ａと、電気回路基板５０の実装面５０ａとを覆うはんだフィレットが形成される。
【００４３】
実装構造６０は、はんだフロー工程の後、溶融はんだが冷えて固化することにより形成される。電気回路基板５０のはんだ面５０ｂ上には、はんだ６１により、第１脚部２０および第２脚部３０を覆うはんだフィレットが形成され、さらに、実装面５０ａ上にも、第１脚部２０の平行部２４ａおよび垂直部２３ａを覆うはんだフィレットが形成されている。なお、図４および図５に示す実装構造６０が、本発明の実装構造の一例に相当する。
【００４４】
実装構造６０によれば、電気回路基板５０と、保持部材の第１脚部２０と、第２脚部３０が、広い範囲で相互にはんだ付けされるため、保持部材１が、電気回路基板５０に強固に固定される。つまり、保持部材１がコネクタに取付けられた場合には、電気回路基板５０へのコネクタの取付け強固が高い。
【００４５】
また、はんだは柔らかい金属なので、仮に、一対の第１脚部の間に、はんだのみが充填されると、引抜力に対して変形し易い。しかし、本実施形態の実装構造６０によれば、一対の第１脚部２０どうしの間に、第２脚部３０が配置されているため、スルーホール５１に充填されるはんだ層が薄く、第２脚部３０が外力を受け止める。したがって、引抜力に対して変形し難い。
【００４６】
［コネクタ］
続いて、保持部材により電気回路基板に保持されるコネクタについて説明する。
【００４７】
図６および図７は、本発明の電子部品の一実施形態であるコネクタを示す図である。図６はコネクタを斜め後方から見た斜視図である。また、図７において、（ａ）は側面図であり、（ｂ）は正面図である。
【００４８】
コネクタ８０は、電子機器に内蔵される電気回路基板に実装され、対となる他のコネクタ（図示しない）と嵌合することにより、電気回路基板上の回路と、電気回路基板上以外の回路とを電気的に接続するものである。
【００４９】
コネクタ８０は、上述した保持部材１と、電気回路基板上の回路と接続するコンタクト８１と、保持部材１およびコンタクト８１を固定するハウジング８２とを備えている。保持部材１の基部１０が、コネクタに設けられた溝８３に圧入されることで、保持部材１がコネクタに取付けられる。
【００５０】
図８は、図６および図７に示すコネクタが、電気回路基板に保持された状態を示す図である。
【００５１】
保持部材１がスルーホール５１に嵌入されることにより、コネクタ８０が、電気回路基板５０に保持される。この状態の電気回路基板５０がはんだフロー工程を経ると、保持部材１は、電気回路基板５０にはんだ付けされる。
【００５２】
本実施形態のコネクタ８０によれば、スルーホール５１に嵌入される一対の第１脚部２０が、互いに対向する向きに配置され、厚さ方向に弾性変形する。したがって、スルーホールの径の精度を従来より低下させても対応可能である。また、スルーホールの損傷を低減できる。また、本実施形態のコネクタ８０によれば、はんだ付け後において、充填されるはんだ層が薄く、第２脚部が外力を受け止める（図５参照）。よって、電気回路基板５０への取付け強固が高い。
【００５３】
なお、実施形態では、本発明の電子部品の一例としてコネクタ８０を説明したが、本発明は、これに限るものではなく、保持部材により電気回路基板に保持される他の電子部品にも適用される。
【００５４】
また、実施形態のコネクタ８０については、まず、コネクタ８０に保持部材１が取付けられた後、はんだフロー工程においてはんだ付けされる例を説明したが、本発明はこれに限るものではない。例えば、まず図３に示すように、保持部材１が電気回路基板５０にはんだ付けされた後、保持部材１がコネクタ８０に固定されることとしてもよい。
【００５５】
また、実施形態では、はんだフロー工程によりはんだ付けされる例を説明したが、本発明は、これに限るものではない。はんだ付けは、例えば、はんだペーストをスルーホール内に予め充填することにより、はんだリフロー工程で行うことも可能である。
【００５６】
また、保持部材１の実施形態では、一対の第１脚部２０のそれぞれは、第２脚部３０の縁面から溶融はんだが毛細管現象により流入する隙間をおいて配置されたものとして説明したが、本発明はこれに限るものではない。スルーホール５１の内面５１ａに干渉しない第２脚部３０は、縁面を第１脚部２０に向けたものであればよく、スルーホール５１の内面５１ａの形状や第１脚部２０の形状に拘束されずに配置されたものであってよい。ただし、実施形態で説明したように、毛細管現象により流入する隙間をおいて配置されることにより、溶融はんだが、スルーホール内にさらに吸い上げられ易くなる。
【００５７】
また、保持部材１は、錫めっき処理が施された真ちゅう製であるとして説明したが、本発明はこれに限るものではない。保持部材は、表面が溶融はんだによって濡れる金属製であればよく、例えば、保持部材が銅合金製であれば、錫めっき処理は必要とされない。
【図面の簡単な説明】
【００５８】
【図１】本発明の一実施形態の保持部材の外観を示す斜視図である。
【図２】本発明の一実施形態の保持部材の外観を示す正面図、平面図、左側面図、および背面図である。
【図３】図１に示す保持部材が、電気回路基板のスルーホールに挿入された状態を示す図である。
【図４】はんだフロー工程により、保持部材１が電気回路基板５０にはんだにより固定された実装構造を示す側面図である。
【図５】はんだフロー工程により、保持部材１が電気回路基板５０にはんだにより固定された実装構造を示す断面図である。
【図６】本発明の電子部品の一実施形態であるコネクタを示す斜視図である。
【図７】本発明の電子部品の一実施形態であるコネクタを示す側面図および正面図である。
【図８】図６および図７に示すコネクタが、電気回路基板に保持された状態を示す図である。
【図９】従来の固定金具を示す断面図である。
【符号の説明】
【００５９】
１    保持部材
１０    基部
２０（２０ａ，２０ｂ）    第１脚部
３０    第２脚部
３３    縁面
５０    電気回路基板
５１    スルーホール
５１ａ    内面
６１    はんだ（溶融はんだ）
８０    コネクタ
【図１】
2007128772.tif 000003
【図２】
2007128772.tif 000004
【図３】
2007128772.tif 000005
【図４】
2007128772.tif 000006
【図５】
2007128772.tif 000007
【図６】
2007128772.tif 000008
【図７】
2007128772.tif 000009
【図８】
2007128772.tif 000010
【図９】
2007128772.tif 000011